(57)【要約】      （修正有）【課題】施術時間が短縮されるアートメイク針台座を提供する。【解決手段】アートメイク針台座本体１には軸方向に自由移動可能な１組以上のフェルト針素子２が内設され、フェルト針素子には鋭利なフェルト針先２１ａが設置され、且つ弾性部材２５が覆設される。アートメイク針台座本体の上端部位には覆設部１０が設けられ、覆設部はアートメイクマシンの接合孔に嵌装され、アートメイクマシンのトップシャフトが駆動されるとフェルト針素子が反復して押動され、フェルト針素子に覆設される弾性部材と組み合わせられて作動し、フェルト針先が針台座の針出口箇所１６で伸縮作動する。これにより、フェルト針先が皮膚に対して交互に入れ墨を入れる操作が行われる。【選択図】図３
0003211696.tif 000002
【実用新案登録請求の範囲】
【請求項１】
アートメイク針台座本体には軸方向に自由移動可能な１組または１組以上のフェルト針素子が内設され、前記アートメイク針台座本体の頂壁及び中央部仕切り板には上ガイド穴及び下ガイド穴がそれぞれ設けられ、前記中央部仕切り板の下方にはフェルト針案内溝が設けられ、且つ前記フェルト針案内溝が下に向けて延伸されて前記アートメイク針台座本体の底端まで設けられ、針出口が形成され、前記フェルト針素子の針先部には鋭利なフェルト針先が設置され、前記針先部の上端にはガイドロッド部が一体で連結され、前記ガイドロッド部の上端には摺動スリーブが枢接され、前記摺動スリーブの下端には外に向けて拡大されるストッパーが設置され、且つ前記ガイドロッド部には弾性部材が覆設され、装設においては、前記摺動スリーブが前記上ガイド穴に覆設され、前記ガイドロッド部は前記下ガイド穴に枢着され、前記弾性部材の上縁により前記摺動スリーブのストッパーの底面が支持され、且つその底縁は前記中央部仕切り板に当接され、前記針先部が前記フェルト針案内溝に納置されることを特徴とするアートメイク針台座。
【請求項２】
前記アートメイク針台座本体の上端部位に設けられる覆設部及び前記覆設部の側壁に設置される弾性嵌合板を更に備え、前記弾性嵌合板は弾性を有すると共にその自由端が側壁から外に突設されることを特徴とする、請求項１に記載のアートメイク針台座。
【請求項３】
前記フェルト針素子の針先部は１本または１本以上のフェルト針先を有することを特徴とする、請求項１に記載のアートメイク針台座。
【請求項４】
前記フェルト針素子の針先部は複数のフェルト針先を有し、前記複数のフェルト針先は配列状または行列状を呈して配設されることを特徴とする、請求項３に記載のアートメイク針台座。
【請求項５】
前記弾性部材として圧縮バネ、板バネ、またはゴムガスケットの内の１つから選択されることを特徴とする、請求項１に記載のアートメイク針台座。
【考案の詳細な説明】
【技術分野】
【０００１】
本考案は、アートメイク針台座に関し、より詳しくは、電動アートメイク機器に嵌装されて使用され、且つ針台座内には複数組のフェルト針素子を有するアートメイク針台座に関する。
【背景技術】
【０００２】
現在アートメイク術が広く流行している。電動アートメイク機器はアートメイク針が軸方向に高速に往復運動を行って皮膚を刺し、同時にフェルト針先に塗られた染料が皮膚の傷口から染み込んで入れ墨が形成される。従来のアートメイク針は細長い針体を有し、通常は挟持装置が電動アートメイク機器内に装設され、針先部位が前記電動アートメイク機器の前端から露出され、入れ墨操作が行われる。前記挟持装置及びモーター伝動機構の伝動軸は連動して動作し、且つアートメイクマシンの前端には筒状のガイドマスクが設置され、前記筒状のガイドマスクの針出口により前記アートメイク針が案内されて出し入れ運動が行われる。
【考案の概要】
【考案が解決しようとする課題】
【０００３】
しかしながら、挟持装置はどれもマシンケースに内設されているため、アートメイク針を固定するように装設させたり、取り外して交換したり、露出される針の長さを調整して設置する等の操作を行う場合、マシンケースを取り外さねばならず、時間も労力もかかって非常に不便であった。また、操作過程が煩雑で、装設が不正確になったり、しっかりと固定されないことも多く、アートメイク針が緩んで外れることがあり、危険であった。
【０００４】
また、従来の電動アートメイク機器の操作過程では、前記アートメイク針の針先は前記筒状のガイドマスクの針出口から反復して出し入れされるため、針先に塗られた染料及び血液が毛細管現象により前記筒状のガイドマスク内に染み入り、挟持装置等の部材が汚れてしまうと、入れ墨操作後に機械の掃除を行っても完全には消毒できず、新しいアートメイク針に交換させねばならなかった。また、機械の部材間が相互に汚染されると、次の患者が病原菌に感染するリスクもある。さらには、従来の電動アートメイク機器のアートメイク針の装設後、通常は鋭利な針先部位が常態では外に露出されるように保持されているため、誤って針先に触って怪我をしやすく、病原菌に感染するという衛生上の問題もあった。
【０００５】
なお、従来の電動アートメイク機器は単一のアートメイク針のみを有するため、入れ墨操作の作業効率が低く、且つ入れ墨を入れる部位を高密度で均一に刺すのが難しいという欠点もあり、入れ墨効果が不十分になり、入れ墨パターンが不自然になった。そこで、本考案者は上記の欠点が改善可能と考え、鋭意検討を重ねた結果、合理的設計で上記の課題を効果的に改善する本考案の提案に到った。
【課題を解決するための手段】
【０００６】
かかる従来の実情に鑑みて、本考案は、アートメイク針台座を提供することを目的とする。すなわち、嵌合構造の設計が電動アートメイク機器に組み合わせられ、装設及び取り外し操作が素早く簡単に行えるようになる。また、前記針台座内には複数組のフェルト針素子を有し、各フェルト針素子には複数のフェルト針先が設置され、これにより入れ墨の速度が増し、刺される部位の密度が増し、分布もより均一になり、好ましい入れ墨効果を達成させる。なお、フェルト針素子の針先部位は常態では針台座の中に納まり、外からは隔絶されて汚染されないようになっており、鋭利な針先で怪我をする事故を防ぐ。さらには、前記アートメイク針台座は使い捨ての消耗材とし、相互感染の問題も回避させる。
【０００７】
上記目的を達成するため、本考案に係るアートメイク針台座の特徴は、アートメイク針台座本体には軸方向に自由移動可能な少なくとも１組以上のフェルト針素子が内設される。前記アートメイク針台座本体の頂壁及び中央部仕切り板には上ガイド穴及び下ガイド穴がそれぞれ設けられ、前記中央部仕切り板の下方にはフェルト針案内溝が設けられ、且つ前記フェルト針案内溝が下に向けて延伸されて前記アートメイク針台座本体の底端まで設けられ、針出口が形成される。前記フェルト針素子の針先部には鋭利なフェルト針先が設置され、前記針先部の上端にはガイドロッド部が一体で連結され、前記ガイドロッド部の上端には摺動スリーブが枢接され、前記摺動スリーブの下端には外に向けて拡大されるストッパーが設置され、前記ガイドロッド部には弾性部材が覆設される。装設において、前記摺動スリーブは前記上ガイド穴に覆設され、前記ガイドロッド部は前記下ガイド穴に枢着され、前記弾性部材の上縁により前記摺動スリーブのストッパーの底面が支持され、且つ底縁が前記中央部仕切り板に当接され、前記針先部が前記フェルト針案内溝に納置される。
【０００８】
また、前記アートメイク針台座本体の上端部位には覆設部が設けられ、前記覆設部はアートメイクマシンの接合孔に嵌装される。前記覆設部の側壁には弾性嵌合板が設置され、前記弾性嵌合板は弾性を有すると共にその自由端は側壁から外に突設される。嵌装において、前記弾性嵌合板が前記接合孔の周壁に支持するように当接され、組み合わせられる部材の間の相互の嵌合による固定効果が向上する。
【０００９】
本考案に係るアートメイク針台座がアートメイクマシンに嵌装されて使用される場合、前記アートメイクマシンの電力駆動装置のトップシャフトがこれら前記フェルト針素子の上端の摺動スリーブに反復して当接され、ガイドロッド部に覆設されるこれら前記弾性部材と組み合わせられて作動し、これら前記フェルト針素子が軸方向に往復運動を行い、前記針先部の末端のフェルト針先が前記針出口箇所で出し入れ作動する。これにより、これら前記フェルト針先の皮膚に対する入れ墨操作が実行される。
【００１０】
好ましくは、前記フェルト針素子の針先部は１本または１本以上のフェルト針先を有し、好ましくは、前記針先部は複数のフェルト針先を有し、前記複数のフェルト針先は配列状または行列状に配設される。
【００１１】
好ましくは、前記弾性部材として圧縮バネ、板バネ、またはゴムガスケット等が選択されるが、但し実施範囲は前述の部材の種類に限られない。
【００１２】
好ましくは、前記覆設部の径方向の断面形状は装設の方向性を有する形状であり、部材が正確に装設されるようにする。前記径方向の断面形状として楕円形、長円形、多辺形、または他の幾何学形状等が選択されるが、但し実施範囲は前述の形状の種類に限られない。
【考案の効果】
【００１３】
本考案に係るアートメイク針台座の複数組のフェルト針素子２が同時に動作して皮膚に対して交互に入れ墨を入れるため、入れ墨の速度が従来のアートメイクマシンよりも速い。また、各フェルト針素子２の針先部２１には配列状または行列状に設置される複数のフェルト針先２１ａをそれぞれ有するため、作業効率が大幅に向上し、施術時間が短縮され、患者が苦痛に耐えなければならない時間も短くなり、施術中に病原菌に感染する危険性も低下する。また、本考案は高速に入れ墨動作が行われ、複数のフェルト針先が設置されることにより、刺される部位の密度が増し、より均一に分布し、発色が良くなり、自然で好ましい入れ墨効果を有する。
【図面の簡単な説明】
【００１４】
【図１】本考案に係るアートメイク針台座を示す外観斜視図である。
【図２】本考案のフェルト針素子の部材分解を示す斜視図である。
【図３】本考案のアートメイク針台座本体を示す側面の断面図である。
【図４】本考案のアートメイク針台座本体を他の角度から見た側面の断面図である。
【図５】本考案のアートメイク針台座本体の側面の断面図であり、フェルト針先が針出口から外へ伸ばす態様を示す。
【図６】本考案のアートメイク針台座本体及び電動アートメイク機器を組み合わせるための部材の分解を示す傾斜図である。
【図７】本考案のアートメイク針台座本体に用いられる電動アートメイク機器の部分の断面図である。
【考案を実施するための形態】
【００１５】
以下、図面を参照して本考案に係るアートメイク針台座の実施形態について説明する。尚、以下に説明する実施の形態は、実用新案登録請求の範囲に記載された本考案の内容を限定するものではない。また、以下に説明される構成の全てが、本考案の必須要件であるとは限らない。
【００１６】
（第１実施形態）
以下、本考案の実施形態について、図面を参照しながら説明する。本考案のアートメイク針台座の実施形態は、アートメイク針台座本体１には軸方向に自由移動可能な２組のフェルト針素子２が内設される。
【００１７】
前記アートメイク針台座本体１の外形全体はペン先形状を呈し、その上端部位は覆設部１０であり、前記覆設部は電動アートメイク機器９の前端の接合孔９１に適合し、両者が緊密に組み合わせられて嵌合される。前記覆設部１０の径方向の断面形状は楕円形を呈し、前記接合孔９１に素早く正確に嵌合される。また、前記覆設部１０の側壁には弾性嵌合板１１が更に設置され、前記弾性嵌合板は前記覆設部の側壁が切断されることにより形成され、弾性を有すると共にその自由端は側壁から外に突設される。前記覆設部１０が電動アートメイク機器の接合孔９１に組み合わせられる場合、前記弾性嵌合板１１が前記接合孔９１の周壁に支持するように当接され、組み合わせられる部材の間が相互に嵌合されることによる固定効果が高まる。
【００１８】
また、前記アートメイク針台座本体１の頂壁１３及び中央部仕切り板１４には上ガイド穴１３ａ及び下ガイド穴１４ａがそれぞれ設けられ、前記中央部仕切り板の下方にはフェルト針案内溝１５が設けられ、且つ前記フェルト針案内溝が前記アートメイク針台座本体１の底端まで延設され、針出口１６が形成される。
【００１９】
好ましい実施形態において、前記フェルト針素子２の針先部２１は配設される複数のフェルト針先２１ａを有する。ちなみに、他の方式として、前記針先部２１が単一のフェルト針先または行列状態で配設される複数のフェルト針先を有してもよい。前記針先部２１の上端にはガイドロッド部２２が一体で連結され、前記ガイドロッド部の上端には摺動スリーブ２３が枢接され、前記摺動スリーブの下端には外に向けて拡大されるストッパー２４が設置され、前記ガイドロッド部には圧縮バネ２５が覆設される。
【００２０】
前記フェルト針素子２及び前記アートメイク針台座本体１の装設において、前記摺動スリーブ２３が前記上ガイド穴１３ａに覆設され、前記ガイドロッド部２２が前記下ガイド穴１４ａに枢着され、前記圧縮バネ２５の上縁により前記摺動スリーブのストッパー２４の底面が支持され、且つ底縁が前記中央部仕切り板１４に当接されて、前記針先部２１が前記フェルト針案内溝１５に収容される。これにより、前記フェルト針素子２が軸方向に自由移動可能な方式で前記アートメイク針台座本体１に内設され、前記摺動スリーブ２３が前記圧縮バネ２５により押されて常態では前記アートメイク針台座本体１の頂壁の上に突出され、且つ前記針先部２１が前記フェルト針案内溝１５に収容され、前記フェルト針先２１ａが針出口１６の外に露出されなくなる。
【００２１】
前記覆設部１０及び電動アートメイク機器の接合孔９１が接合される場合、前記アートメイク針台座本体の頂壁１３から突出される２つの摺動スリーブ２３が前記電動アートメイク機器の駆動装置の２つのトップシャフト９２に密接される。前記駆動装置が作動すると、前記２つのトップシャフト９２が下に向けて交互に前記２つの摺動スリーブ２３を押動させ、ガイドロッド部に覆設される圧縮バネ２５と組み合わせられて作動し、前記アートメイク針台座本体１内の２組のフェルト針素子２が軸方向に上下運動を行う。
【００２２】
以下、さらに操作方法を図４及び図５に基づいて説明する。前記トップシャフト９２が摺動スリーブ２３を下に向けて押動させると、連動するように前記フェルト針素子２のガイドロッド部２２及び針先部２１が下に向けて移動し、前記針先部のフェルト針先２１ａが前記フェルト針案内溝１５に沿って案内されると共に針出口１６から外に向けて延出される。前記トップシャフト９２が上に向けて後退すると、前記摺動スリーブ２３が圧縮バネ２５の上に向けての回復力の作用を受け、連動するようにガイドロッド部２２及び針先部２１が上に向けて移動し、前記フェルト針先２１ａが針出口１６の外から前記フェルト針案内溝１５内まで後退し、前記摺動スリーブ２３が上に向けてその下端のストッパー２４が前記アートメイク針台座本体の頂壁１３に当接されるまで移動した後に停止される。前述の動作方式により、前記電動アートメイク機器の駆動装置の動作中に、前記２組のフェルト針素子２のフェルト針先２１ａが前記フェルト針案内溝の針出口１６箇所で交互に出し入れされるように作動し、これによりこれら前記フェルト針先２１ａが皮膚に対して入れ墨を入れる。
【００２３】
総合すると、本考案に係るアートメイク針台座及び電動アートメイク機器９は嵌合方式で組み合わせられる構造設計となっており、前記アートメイク針台座本体の覆設部１０が電動アートメイク機器の接合孔９１に嵌合されることにより組み合わせられて固定される。組み合わせ及び取り外し操作が素早く簡単に行えて便利であり、よってアートメイク針台座自体が使い捨ての消耗材として設計され、部材が汚染されなくなることで病原菌が感染する問題が回避され、衛生的で安全に使用可能にする目的を達成させる。
【００２４】
更に、前記フェルト針素子に設置されるフェルト針先２１ａが前記圧縮バネ２５の作用を受けて、常態では前記アートメイク針台座本体１内に収納されて、外界から隔絶されて汚染されないように保護され、且つ外に露出した鋭利な針先により怪我をする危険性もなくなり、安全に使用可能になる。
【００２５】
従って、本明細書に開示された実施例は、本考案を限定するものではなく、説明するためのものであり、このような実施例によって本考案の思想と範囲が限定されるものではない。本考案の範囲は実用新案登録請求の範囲により解釈すべきであり、それと同等の範囲内にある全ての技術は、実用新案登録請求の範囲に含まれるものと解釈すべきである。
【符号の説明】
【００２６】
１  アートメイク針台座本体
１０  覆設部
１１  弾性嵌合板
１３  頂壁
１３ａ  上ガイド穴
１４  中央部仕切り板
１４ａ  下ガイド穴
１５  フェルト針案内溝
１６  針出口
２  フェルト針素子
２１  針先部
２１ａ  フェルト針先
２２  ガイドロッド部
２３  摺動スリーブ
２４  ストッパー
２５  圧縮バネ
９  電動アートメイク機器
９１  接合孔
９２  トップシャフト
【図１】
0003211696.tif 000003
【図２】
0003211696.tif 000004
【図３】
0003211696.tif 000005
【図４】
0003211696.tif 000006
【図５】
0003211696.tif 000007
【図６】
0003211696.tif 000008
【図７】
0003211696.tif 000009